(57)【特許請求の範囲】
【請求項１】
一対の基板間に配置された強誘電性液晶、前記強誘電性液晶を駆動するための複数の走査電極及び複数の信号電極、及び前記複数の走査電極と前記複数の信号電極との交点から構成される複数のピクセルを有する強誘電性液晶パネルと、
前記複数の走査電極及び前記複数の信号電極に駆動パルスを印加する制御回路と、を有し、
前記制御回路は、第１のリセットパルスと、前記複数のピクセルをスイッチングするための第１の選択パルスと、前記第１のリセットパルスと異なる電圧又はパルス幅を有する第２のリセットパルスと、前記第１の選択パルスとは異なる電圧又はパルス幅を有し且つ前記複数のピクセルをスイッチングするための第２の選択パルスとを、前記複数のピクセルに印加する、
ことを特徴とする液晶表示装置。
【請求項２】
前記第２のリセットパルスは、前記第１のリセットパルスの電圧より低い電圧又は前記第１のリセットパルスのパルス幅より短いパルス幅を有し、
前記第２の選択パルスは、前記第１の選択パルスの電圧より低い電圧又は前記第１の選択パルスのパルス幅より短いパルス幅を有する、請求項１に記載の液晶表示装置。
【請求項３】
前記強誘電性液晶パネルは、複数の走査電極及び複数の信号電極を有し、
前記第１のリセットパルス及び前記第２のリセットパルスは、前記複数の走査電極の全てに同時に印加される、請求項１に記載の液晶表示装置。
【請求項４】
前記強誘電性液晶パネルは、複数の走査電極及び複数の信号電極を有し、
前記第１のリセットパルス及び前記第２のリセットパルスは、前記複数の走査電極の全てに同時に印加される、請求項２に記載の液晶表示装置。
【請求項５】
前記強誘電性液晶パネルは、複数の走査電極及び複数の信号電極を有し、
前記第１のリセットパルス及び前記第２のリセットパルスは、前記複数の走査電極のそれぞれに、順番に印加される、請求項１に記載の液晶表示装置。
【請求項６】
前記強誘電性液晶パネルは、複数の走査電極及び複数の信号電極を有し、
前記第１のリセットパルス及び前記第２のリセットパルスは、前記複数の走査電極のそれぞれに、順番に印加される、請求項２に記載の液晶表示装置。
【請求項７】
前記強誘電性液晶パネルは、複数の走査電極及び複数の信号電極の交点から構成される複数のピクセルを有し、
前記第１のリセットパルス、前記第１の選択パルス、前記第２のリセットパルス及び前記第２の選択パルスは、前記複数の走査電極に、順番に印加される、請求項１に記載の液晶表示装置。
【請求項８】
前記強誘電性液晶パネルは、複数の走査電極及び複数の信号電極の交点から構成される複数のピクセルを有し、
前記第１のリセットパルス、前記第１の選択パルス、前記第２のリセットパルス及び前記第２の選択パルスは、前記複数の走査電極に、順番に印加される、請求項２に記載の液晶表示装置。
【請求項９】
温度センサを更に有し、
前記制御回路は、前記第１及び第２のリセットパルスと、前記第１及び第２の選択パルスの電圧又はパルス幅を、前記温度センサの検出出力に基づいて可変する、請求項１に記載の液晶表示装置。
【請求項１０】
温度センサを更に有し、
前記制御回路は、前記第１及び第２のリセットパルスと、前記第１及び第２の選択パルスの電圧又はパルス幅を、前記温度センサの検出出力に基づいて可変する、請求項２に記載の液晶表示装置。
【請求項１１】
一対の基板間に配置された強誘電性液晶と、前記強誘電性液晶を駆動するための電極を有する強誘電性液晶パネルの駆動方法であって、
第１のリセットパルスを前記電極を介して前記強誘電性液晶に印加するステップと、
前記第１のリセットパルスの印加後に、前記強誘電性液晶をスイッチングするための第１の選択パルスを前記電極を介して前記強誘電性液晶に印加するステップと、
前記第１の選択パルスの印加後に、前記第１のリセットパルスと異なる電圧又はパルス幅を有する第２のリセットパルスを前記電極を介して前記強誘電性液晶に印加するステップと、
前記第２のリセットパルスの印加後に、前記第１の選択パルスとは異なる電圧又はパルス幅を有し且つ前記強誘電性液晶をスイッチングするための第２の選択パルスを前記電極を介して前記強誘電性液晶に印加するステップと、
を有することを特徴とする強誘電性液晶パネルの駆動方法。
【発明の詳細な説明】
【技術分野】
【０００１】
本発明は、強誘電性液晶パネルの駆動方法及び、強誘電性液晶パネルを有する液晶表示装置に関する。
【背景技術】
【０００２】
強誘電性液晶は、複数の光学的な状態を有し、電圧を印加しなくても特定の状態を保持し続ける特性を有している。強誘電性液晶分子は、電界等の外部からの影響に応じ、円錐（液晶コーン）の側面に沿って安定した２ヶ所の位置の何れかの位置を取る。強誘電性液晶を一対の基板間に挟持し、液晶表示装置として用いる際には、強誘電性液晶に印加する電圧の極性に応じて、強誘電性液晶分子が前述した安定した２ヶ所のいずれか一方に位置するように制御する。２ヶ所の安定した位置の一方を第１の強誘電状態、他方を第２の強誘電状態と言う。
図１は、強誘電性液晶１０を用いた強誘電性液晶パネル２０の構成例を示す図である。
図１において、偏光板１５ａ（偏光軸の方向をａ）及び１５ｂ（偏光軸の方向をｂ）をクロスニコルに合わせて配置した。また、第２の強誘電状態における強誘電性液晶１０の分子の長軸方向を偏光軸ａと一致させるように配置した。したがって、第１の強誘電状態の場合の液晶分子の長軸方向は、図１に示されるように、液晶コーンに沿った他の位置となる。
図１に示すように、偏光板１５ａ及び１５ｂと強誘電性液晶１０を配置し、印加電圧の極性を変化させて、強誘電性液晶１０を第２の強誘電状態とした場合（強誘電性液晶１０の分子の長軸方向が偏光板１５ａの偏光軸ａと一致した場合）、光は透過せず、強誘電性液晶パネル２０は黒表示（非透過状態）となる。また、印加電圧の極性を変化させて、強誘電性液晶１０を第１の強誘電状態とした場合（強誘電性液晶１０の分子の長軸方向が、偏光板１５ａの偏光軸ａ及び偏光板５１ｂの偏光軸ｂの何れとも一致しない場合）、液晶分子の長軸方向が偏光軸に対してある角度を持って傾くため、例えばバックライトからの光が透過し、強誘電性液晶パネル２０は白表示（透過状態）となる。なお、表示を行う場合には、バックライト以外の光源を利用することも可能である。
図２は、強誘電性液晶の印加電圧と光透過率との関係を示す図である。
図２に示す様に、強誘電性液晶１０に印加される電圧を増加させ、光透過率が増加し始める電圧値をＶ１、さらに電圧を増加させ、光透過率の増加が飽和する電圧値をＶ２（正の閾値）とする。逆に、強誘電性液晶１０に印加される電圧を減少させ、光透過率が減少し始める電圧値をＶ３，さらに電圧を減少させ、光透過率の減少が飽和する電圧値をＶ４（負の閾値）とする。ここで、光透過率の高い状態が第１の強誘電状態であり、光透過率の低い状態が第２の強誘電状態である。
例えば、強誘電性液晶１０に、Ｖ２以上の電圧値を印加すると、強誘電性液晶１０は第１の強誘電性状態にスイッチングし、その後電圧を印加せずとも（即ち、０Ｖ印加）、強誘電性液晶１０は第１の誘電性状態を保持する。同様に、強誘電性液晶１０に、Ｖ４以下の電圧値を印加すると、強誘電性液晶１０は第２の強誘電性状態にスイッチングし、その後電圧を印加せずとも（即ち、０Ｖ印加）、強誘電性液晶１０は第２の誘電性状態を保持する。このように、強誘電性液晶１０は、正の閾値以上又は負の閾値以下の電圧を印加して、所定の強誘電性状態にスイッチングさせた後は、電圧を印加せずとも、そのままの状態を保持することとなる。このような、強誘電性液晶１０は、例えば、特許文献１に記載されている。
また、強誘電性液晶１０を用いた液晶素子では、白表示と黒表示をスイッチングさせるための閾値が書き込み直前の画素の状態に大きく起因していることに鑑み、画素に電圧を印加する際に、最初の第１の電圧Ｖ１を印加した後に第２の電圧Ｖ２（Ｖ１＜Ｖ２）を印加することによって、直前の画素の状態に拘らず画素をスイッチングさせることを可能とした液晶駆動方法が知られている（例えば、特許文献２参照）。しかしながら、特許文献２には、強誘電性液晶１０の閾値ムラに起因して、鮮明な画像を得ることができないと言う問題点及びその解決方法については全く記載されていない。
さらに、強誘電性液晶１０を用いた液晶表示素子において、４つのリセットパルス（黒表示レベルのリセットパルス中和部分用、黒表示レベル用リセット、白表示レベルのリセットパルス中和部分用、及び白表示レベル用リセット）を利用して、前に書き込んだ電圧による液晶のダイレクタを一様に戻すことが知られている（例えば、特許文献３参照）。しかしながら、特許文献３には、強誘電性液晶１０の閾値ムラに起因して、鮮明な画像を得ることができないと言う問題点及びその解決方法については全く記載されていない。
【特許文献１】特開２００６−２３４８１号公報（第１図、第２図）
【特許文献２】特開平４−８５５１７号公報（第１図）
【特許文献３】特開平９−５４３０７号公報（第９頁、第１図）
【発明の開示】
【０００３】
図３は、強誘電性液晶を用いた表示素子を走査電極および信号電極を帯状に複数本ずつ形成した単純マトリックス駆動によって駆動した場合、それぞれのピクセルに印加される電圧を示す図である。
図３には、１本目、２本目及びｎ本目の走査電極に印加する駆動パルスと、信号電極に印加する駆動パルスが記載されている。
強誘電性液晶を用いた表示素子では、一度書きこんだ画面表示が消えずにそのままの状態を保持される。また、静止画面を書き換えるためには、一度だけ全ての走査電極を走査し画面を書き換える必要がある。そのため、強誘電性液晶を用いた表示素子では、最初のリセット期間と、全ての走査電極を走査する書き込み期間と、電圧を印加しない画面表示保持期間とを有する。任意の画面表示を行うには書き込み期間にのみ電圧を印加すればよく、画面表示を維持し続けるための保持期間では全く電圧を印加する必要はない。
リセット期間Ｒｅでは、全ての走査電極には、±ＶＣＯＭの走査パルスが印加され、信号電極には±ＶＳＥＧの信号パルスが印加される。なお、走査電極に印加される走査パルスと信号電極に印加される信号パルスの和が、各ピクセルに印加される駆動電圧となる。
書き込み期間では、走査電極の１本目から順番に±ＶＣＯＭの走査パルスが印加され、信号電極には白表示または黒表示に応じた±ＶＳＥＧの信号パルスが印加される。図３の例における信号電極には、１本目から（ｎ−１）本目までは黒表示に応じた±ＶＳＥＧの信号パルスが印加され、ｎ本目のみ白表示に応じた±ＶＳＥＧの信号パルスが印加されている。
図４は、１本目の走査電極上にある１番目のピクセル（１、ｍ）、２番目のピクセル（２、ｍ）及びｎ番目のピクセル（ｎ、ｍ）に印加される駆動電圧を示したものである。
図４には、リセット期間Ｒｅ、書き込み期間及び表示保持期間が示され、さらに書き込み期間では、選択パルスを印加する期間である選択期間１、及び非選択パルスを印加する非選択期間２が示されている。
図４に図示されるように、リセット期間Ｒｅでは、後半に強誘電性液晶１０８を白表示にスイッチングさせるための閾値Ｖ２（図２参照）よりも大きな電圧＋（ＶＣＯＭ＋ＶＳＥＧ）のリセットパルスが印加され（図４のパルスｃ１、ｃ２及びｃ３参照）、画面が白表示にリセットされる。
選択期間１で黒表示を行う場合には、選択期間１の後半で強誘電性液晶を黒表示にスイッチングさせるための閾値（Ｖ４）よりも絶対値として大きな電圧−（ＶＣＯＭ＋ＶＳＥＧ）の選択パルスが印加され、黒表示を行う（図４のパルスｃ４及びｃ５参照）。また、選択期間１で白表示を行う場合には、リセット期間Ｒｅにおいて白表示となった状態を維持するために、±（ＶＣＯＭ−ＶＳＥＧ）の選択パルスが印加され（図４のパルスｃ６及びｃ７）、白表示が維持される。
非選択期間２では、各ピクセルに電圧±（ＶＳＥＧ）が印加され、それまでの状態が維持される。
図５は、強誘電性液晶パネルにおける画像表示例を示す図である。
表示例３０及び表示例３２はリセット期間Ｒｅにおいて白表示にリセットされた状態を示し、表示例３１はリセット期間Ｒｅの次の書き込み期間において、各ピクセルを白表示又は黒表示に選択して表示を行おうと希望する表示画面例を示している。
しかしながら、図３及び４に示すパルスを走査電極及び信号電極に印加した場合、表示例３３に示すように、白表示となるべき部分が、黒表示となって、鮮明な画像を表示できないという問題があった。
これは、強誘電性液晶パネルにおいて、画面全体に渡って強誘電性液晶の閾値が全て一様に一定とはならず、閾値ムラが存在することに起因している。即ち、白表示から黒表示にスイッチングする閾値Ｖ４（図２参照）が低い強誘電性液晶が存在すると、図４のパルスｃ７によって、白表示から黒表示にスイッチングしてしまうことが、図５の表示例３３のような画像が表示されてしまう原因の一つであった。
なお、表示例３３の場合には、リセット画面が白表示であるので（背景が白表示画面）、白表示となるべきピクセルが黒表示となることが問題であったが、リセット画面が黒表示（背景が黒表示画面）の場合には、黒表示となるべきピクセルが白表示となることが問題となる。
本発明は上記の問題を解決することを可能とした強誘電性液晶パネルの駆動方法及び液晶表示装置を提供することを目的とする。
また、本発明は、閾値ムラに関わらず、鮮明な画像を得ることを可能とした強誘電性液晶パネルの駆動方法及び液晶表示装置を提供することを目的とする。
本発明に係る液晶表示装置は、一対の基板間に配置された強誘電性液晶、強誘電性液晶を駆動するための複数の走査電極及び複数の信号電極、及び複数の走査電極と前記複数の信号電極との交点から構成される複数のピクセルを有する強誘電性液晶パネルと、複数の走査電極及び複数の信号電極に駆動パルスを印加する制御回路を有し、制御回路は、第１のリセットパルスと、複数のピクセルをスイッチングするための第１の選択パルスと、第１のリセットパルスと異なる電圧又はパルス幅を有する第２のリセットパルスと、第１の選択パルスとは異なる電圧又はパルス幅を有し且つ複数のピクセルをスイッチングするための第２の選択パルスとを、複数のピクセルに印加することを特徴とする。
さらに、本発明に係る液晶表示装置では、第２のリセットパルスは第１のリセットパルスの電圧より低い電圧又は第１のリセットパルスのパルス幅より短いパルス幅を有し、第２の選択パルスは第１の選択パルスの電圧より低い電圧又は第１の選択パルスのパルス幅より短いパルス幅を有することが好ましい。
さらに、本発明に係る液晶表示装置では、強誘電性液晶パネルは、複数の走査電極及び複数の信号電極を有し、第１のリセットパルス及び第２のリセットパルスは複数の走査電極の全てに同時に印加されることが好ましい。
さらに、本発明に係る液晶表示装置では、強誘電性液晶パネルは、複数の走査電極及び複数の信号電極を有し、第１のリセットパルス及び第２のリセットパルスは、複数の走査電極のそれぞれに、順番に印加されることが好ましい。
さらに、本発明に係る液晶表示装置では、強誘電性液晶パネルは、複数の走査電極及び複数の信号電極の交点から構成される複数のピクセルを有し、第１のリセットパルス、第１の選択パルス、第２のリセットパルス及び第２の選択パルスは、複数の走査電極に、順番に印加されることが好ましい。
さらに、本発明に係る液晶表示装置では、温度センサを更に有し、制御回路は、第１及び第２のリセットパルスと、第１及び第２の選択パルスの電圧又はパルス幅を、温度センサの検出出力に基づいて可変することが好ましい。
本発明に係る強誘電性液晶パネルの駆動方法は、第１のリセットパルスを電極を介して強誘電性液晶に印加するステップと、第１のリセットパルスの印加後に強誘電性液晶をスイッチングするための第１の選択パルスを電極を介して強誘電性液晶に印加するステップと、第１の選択パルスの印加後に第１のリセットパルスと異なる電圧又はパルス幅を有する第２のリセットパルスを電極を介して強誘電性液晶に印加するステップと、第２のリセットパルスの印加後に第１の選択パルスとは異なる電圧又はパルス幅を有し且つ強誘電性液晶をスイッチングするための第２の選択パルスを電極を介して強誘電性液晶に印加するステップを有することを特徴とする。
本発明による強誘電性液晶パネルの駆動方法及び液晶表示装置によれば、２回目のリセットパルスの電圧を１回目のリセットパルスの電圧と異ならせ、２回目の選択パルスの電圧を１回目の選択パルスの電圧と異ならせるようにしたので、閾値ムラがあっても、良好な画像を強誘電性液晶パネルに表示させることが可能となった。
また、本発明による強誘電性液晶パネルの駆動方法及び液晶表示装置によれば、２回目リセットパルスの電圧を１回目のリセットパルスの電圧よりαだけ低く（又はパルス幅をβだけ短く）し、２回目の書き込み期間において白表示を維持するための選択パルスの電圧を１回目の選択パルスの電圧よりαだけ低く（又はパルス幅をβだけ短く）することによって、スイッチングの閾値が低いピクセルであっても、黒表示にスイッチングさせることなく、良好な画像を強誘電性液晶パネルに表示させることが可能となった。
さらに、本発明による強誘電性液晶パネルの駆動方法及び液晶表示装置において、温度センサの検出出力に基づいて制御を行う場合には、環境温度変化による閾値の変化や閾値ムラの変化に拘らず、さらに良好な画像を強誘電性液晶パネルに表示させることが可能となった。
【図面の簡単な説明】
【０００４】
図１は、強誘電性液晶を用いた強誘電性液晶パネルの構成例を示す図である。
図２は、強誘電性液晶の印加電圧と光透過率との関係を示す図である。
図３は、走査電極及び信号電極に印加される走査／信号パルスの一例を示す図である。
図４は、ピクセルに印加される駆動パルスの一例を示す図である。
図５は、強誘電性液晶パネルにおける画像表示例を示す図である。
図６は、本発明に用いられる強誘電性液晶パネルの概略断面図である。
図７は、本発明に係る液晶表示装置の概略ブロック図である。
図８は、閾値ムラがある場合の強誘電性液晶の印加電圧と光透過率との関係を示す図である。
図９は、走査電極及び信号電極に印加される走査／信号パルスの一例を示した図である。
図１０は、図９に示す走査パルス及び信号パルスが印加された場合の駆動パルスを示した図である。
図１１は、図１０に示す駆動パルスよる画像表示例を示す図である。
図１２は、走査電極及び信号電極に印加される他の走査／信号パルスの一例を示した図である。
図１３は、図１２に示す走査パルス及び信号パルスが印加された場合の駆動パルスを示した図である。
図１４は、走査電極及び信号電極に印加される更に他の走査／信号パルスの一例を示した図である。
図１５は、図１４に示す走査パルス及び信号パルスが印加された場合の駆動パルスを示した図である。
図１６は、走査電極及び信号電極に印加される更に他の走査／信号パルスの一例を示した図である。
図１７は、図１６に示す走査パルス及び信号パルスが印加された場合の駆動パルスを示した図である。
図１８は、本発明に係る他の液晶表示装置の概略ブロック図である。
図１９は、環境温度変化がある場合の強誘電性液晶１０８の印加電圧と光透過率との関係を示す図である。
図２０は、パルス幅と環境温度との関係を示す図である。
【発明を実施するための形態】
【０００５】
以下図面を参照して、本発明に係る強誘電性液晶１０８パネルの駆動方法及び液晶表示装置について説明する。但し、本発明の技術的範囲はそれらの実施の形態に限定されず、特許請求の範囲に記載された発明とその均等物に及ぶ点に留意されたい。
図６は本発明に用いられる強誘電性液晶パネル１００の概略断面図である。
強誘電性液晶１０８は、２枚の透明ガラス基板１０１ａ及び１０１ｂとシール剤１０２との間に挟持されている。透明ガラス基板１０１ａ上には、複数の走査電極１０４が帯状に配置されている。透明ガラス基板１０１ｂ上には、複数の信号電極１０５が帯状に配置されている。
強誘電性液晶１０８は、前述した図１及び図２に記載されるような挙動を示す。また、図１に示した偏光板１５ａ及び１５ｂが、透明ガラス基板１０１ａ及び１０１ｂの外側に、それぞれ配置されている。
強誘電性液晶パネル１００では、ガラス基板１０１上に透明電極によってそれぞれ所定の走査電極１０４と信号電極１０５を形成し、それぞれの電極の上にＳｉＯｘ膜としてＳｉＯ配向膜１０７ａ及び１０７ｂが斜方蒸着により形成される。一対のガラス基板１０１はスペーサ（図示せず）によって１〜２μｍの厚さに保持され、シール剤１０２によって接着されている。組み上げられた空のセルを真空中に配置し、加熱溶融した強誘電性液晶１０８を注入孔（図示せず）に配置することにより、セル内に強誘電性液晶１０８が注入される。
図７は、本発明に係る液晶表示装置の概略ブロック図である。
液晶表示装置１２０は、強誘電性液晶パネル１００、制御部１１０、駆動電圧波形制御回路１１１、各走査電極１０４に電圧波形を印加するための走査駆動電圧波形発生回路１１２、各信号電極１０５に電圧波形を印加するための信号駆動電圧波形発生回路１１３、表示データ記憶部１１４、ＲＡＭ１１５、及びＲＯＭ１１６等から構成される。
制御部１１０は、ＲＡＭ１１５又はＲＯＭ１１６に予め記憶されたプログラムに従い、表示データ記憶部１１４に記憶された表示用データが強誘電性液晶パネル１００に表示されるように、駆動電圧波形制御回路１１１に制御信号を出力するように構成されている。また、駆動電圧波形制御回路１１１は、入力された制御信号に応じて、複数の走査電極１０４及び複数の信号電極１０５に所定の電圧波形が出力されるように、走査駆動電圧波形発生回路１１２及び信号駆動電圧波形発生回路１１３を制御する。
以下、本発明に係る液晶表示装置１２０おいて、強誘電性液晶パネル１００に印加される駆動パルスについて説明する。
図８は、閾値ムラがある場合の強誘電性液晶の印加電圧と光透過率との関係を示す図である。
強誘電性液晶パネル１００の各ピクセルには、閾値ムラによって、強誘電性液晶１０８をスイッチングさせる閾値が高い閾値Ｖ２及びＶ４と、低い閾値Ｖ２’及びＶ４’のものが混在している。スイッチングさせる閾値が高い閾値Ｖ２及びＶ４と低い閾値Ｖ２’及びＶ４’の関係は、図８に示す通りである。以下では強誘電性液晶パネル１００に閾値ムラが存在しているものとして説明を行う。
図９は、強誘電性液晶パネルの走査電極及び信号電極に印加される走査／信号パルスの一例を示した図である。
図９では、１本目及び２本目の走査電極１０４に印加する走査パルスと、全ての信号電極１０５に印加する信号パルスが記載されている。駆動電圧波形制御回路１１１は、走査駆動電圧波形発生回路１１２を制御して各走査電極１０４に図９に示す走査電極用の走査パルスを印加し、信号駆動電圧波形発生回路１１３を制御して各信号電極１０５へ図９に示す信号電極用の信号パルスを印加する。
図９に示す走査／信号パルスでは、第１フレームＦ１及び第２フレームＦ２という２つのフレームを利用して強誘電性液晶パネル１００へ画像の書き込みを行う。また、第１フレームＦ１には第１リセット期間Ｒｅ１及び第１書き込み期間Ｗ１が含まれ、第２フレームＦ２は第２リセット期間Ｒｅ２及び第２書き込み期間Ｗ２が含まれる。
第１リセット期間Ｒｅ１では、全ての走査電極に、±ＶＣＯＭの走査パルスが印加され、信号電極には±ＶＳＥＧの信号パルスが印加される。なお、走査電極に印加される走査パルスと信号電極に印加される信号パルスの和が、各ピクセルに印加される駆動電圧となる。
第１書き込み期間Ｗ１では、１本目の走査電極には選択期間１−１に、２本目の走査電極には選択期間１−２に、というように順番に全ての走査電極に±ＶＣＯＭの走査パルスが印加される。また、第１書き込み期間Ｗ１では、全ての信号電極には白表示または黒表示に応じた±ＶＳＥＧの信号パルスが印加される。図９に示す信号電極への駆動パルスの例では、１本目の走査電極に対応する選択期間１−１の時に黒表示を示すＯＮパルスが印加され、２本目の走査電極に対応する選択期間１−２の時に白表示を示すＯＦＦパルスが印加されている。
第２リセット期間Ｒｅ２では、全ての走査電極に、±（ＶＣＯＭ−α）の走査パルスが印加され、信号電極には±ＶＳＥＧの信号パルスが印加される。
第２書き込み期間Ｗ２では、１本目の走査電極には選択期間２−１に、２本目の走査電極には選択期間２−２に、というように順番に全ての走査電極に±（ＶＣＯＭ−α）の走査パルスが印加される。また、第２書き込み期間Ｗ２では、全ての信号電極には白表示または黒表示に応じた±ＶＳＥＧの信号パルスが印加される。図９に示す信号電極への駆動パルスの例では、１本目の走査電極に対応する選択期間２−１の時に黒表示を示すＯＮパルスが印加され、２本目の走査電極に対応する選択期間２−２の時に白表示を示すＯＦＦパルスが印加されている。
図１０は、図９に示す走査パルス及び信号パルスが印加された場合の駆動パルスを示した図である。
図１０では、１本目の走査電極上にある１番目のピクセル（１、ｍ）及び２番目のピクセル（２、ｍ）に印加される駆動パルスが示されている。図１０に示す各期間は、全て図９に示した期間と同じである。
図１１は、図１０に示す駆動パルスよる画像表示例を示す図である。
第１リセット期間Ｒｅ１の後半では、強誘電性液晶１０８を白表示にスイッチングさせるための閾値（Ｖ２）よりも大きな電圧＋（ＶＣＯＭ＋ＶＳＥＧ）のリセットパルスが印加され（図１０のパルスｄ１及びｄ２参照）、画面全体が白表示にリセットされる。この状態の一例を図１１の表示例４０に示す。
選択期間１−１の後半では、ピクセル（１、ｍ）に強誘電性液晶１０８を黒表示にスイッチングさせるための閾値（Ｖ４）よりも絶対値として大きな電圧−（ＶＣＯＭ＋ＶＳＥＧ）の選択パルスが印加され、ピクセル（１、ｍ）は黒表示となる（図１０のパルスｄ３参照）。なお、選択期間１−１において、非選択のピクセル（例えば、ピクセル（２、ｍ））には、±（ＶＳＥＧ）が印加され（図１０のパルスｄ４及びｄ５参照）、それまでの状態が維持される。
選択期間１−２では、ピクセル（２、ｍ）に、第１リセット期間Ｒｅ１において白表示となった状態を維持するために、±（ＶＣＯＭ−ＶＳＥＧ）の選択パルスが印加される（図１０のパルスｄ６及びｄ７参照）。
しかしながら、閾値ムラによって、低い閾値（Ｖ４’）を有するピクセルでは、図１０のパルスｄ７によって、白表示から黒表示にスイッチングしてしまう可能性があった。例えば、このような低い閾値（Ｖ４’）を有するピクセルが黒表示にスイッチングしてしまった状態の一例を図１１の表示例４１に示す。
第２リセット期間Ｒｅ２では、第１リセット期間Ｒｅ１の時に印加した±（ＶＣＯＭ＋ＶＳＥＧ）よりも低い電圧±（ＶＣＯＭ−α＋ＶＳＥＧ）のリセットパルスが印加されることとなるが（図１０のパルスｄ８及びｄ９参照）、この電圧は強誘電性液晶１０８を白表示にスイッチングさせるための閾値（Ｖ２）よりも小さいため、全てのピクセルを白表示にリセットすることはできず、低い閾値（Ｖ２’）のピクセルだけが白表示にリセットされる。この時の状態の一例を図１１の表示例４２に示す。
選択期間２−１では、最終的に、選択期間１−１の時に印加した±（ＶＣＯＭ＋ＶＳＥＧ）より低い電圧±（ＶＣＯＭ−α＋ＶＳＥＧ）の選択パルスが印加される（図１０のパルスｄ１０参照）。
選択期間２−２では、ピクセル（２、ｍ）に、第２リセット期間Ｒｅ２において白表示となった状態を維持するために、電圧±（ＶＣＯＭ−α−ＶＳＥＧ）の選択パルスが印加される（図１０のパルスｄ１１及びｄ１２参照）。
第１書き込み期間Ｗ１では、第１リセット期間Ｒｅ１において白表示となった状態を維持するために、電圧±（ＶＣＯＭ−ＶＳＥＧ）の選択パルスが印加されたが、対象となるピクセルが低い閾値（Ｖ４’）を有している場合には、選択パルス（図１０のパルスｄ７参照）によって黒表示にスイッチングしてしまった。しかしながら、第２書き込み期間Ｗ２の選択パルス（図１０のパルスｄ１２参照）による電圧は、±（ＶＣＯＭ−α−ＶＳＥＧ）であって、低い閾値（Ｖ４’）よりも更に低い。したがって、低い閾値（Ｖ４’）を有するピクセルであっても、選択パルス（図１０のパルスｄ１２参照）によって、黒表示にスイッチングされることはない。この状態の一例を図１１の表示例４３に示す。
ピクセル（１、ｍ）において強誘電性液晶１０８の状態をスイッチングさせるための閾値が高い（Ｖ２）場合には、第１リセット期間Ｒｅ１のリセットパルス（図１０のパルスｄ１参照）によって白表示にリセットされ、選択期間１−１の選択パルス（図１０のパルスｄ３参照）で黒表示にスイッチングされるが、第２リセット期間Ｒｅ２のリセットパルス（図１０のパルスｄ８参照）では白表示にリセットされない。したがって、選択期間２−１の選択パルス（図１０のパルスｄ１０参照）自体では極性をスイッチングさせるほど電圧が高くないので、ピクセル（１、ｍ）は選択期間１−１で設定された黒表示をそのまま保持することとなる。一方、ピクセル（１、ｍ）において強誘電性液晶１０８の状態をスイッチングさせるための閾値が低い（Ｖ２’）の場合には、第１リセット期間Ｒｅ１のリセットパルス（図１０のパルスｄ１参照）によって白表示にリセットされ、選択期間１−１の選択パルス（図１０のパルスｄ３参照）で黒表示にスイッチングされ、第２リセット期間Ｒｅ２のリセットパルス（図１０のパルスｄ８参照）で、再度白表示にリセットされる。しかしながら、選択期間２−１の選択パルス（図１０のパルスｄ１０参照）で再度黒表示に設定される。したがって、黒表示とされるべきピクセルが高い閾値（Ｖ２）を持っていても、低い閾値（Ｖ２’）を持っていても、図９に示す走査電極及び信号電極への走査／信号パルスを利用すれば、そのピクセルを黒表示とすることができる。
ピクセル（２、ｍ）において強誘電性液晶１０８の状態をスイッチングさせるための閾値が高い（Ｖ２、Ｖ４）場合には、第１リセット期間Ｒｅ１のリセットパルス（図１０のパルスｄ２参照）によって白表示にリセットされ、選択期間１−１の非選択パルス（図１０のパルスｄ４及びｄ５参照）でそのままの状態が維持され、選択期間１−２の選択パルス（図１０のパルスｄ６及びｄ７参照）でもそのままの状態が維持される。また、第２リセット期間Ｒｅ２のリセットパルス（図１０のパルスｄ９参照）でも、選択期間２−１の非選択パルス及び選択期間２−２の選択パルス（図１０のパルスｄ１１及びｄ１２参照）でもそのまま白表示が維持される。一方、ピクセル（２、ｍ）において強誘電性液晶１０８の状態をスイッチングさせるための閾値が低い（Ｖ２’、Ｖ４’）場合には、第１リセット期間Ｒｅ１のリセットパルス（図１０のパルスｄ２参照）によって白表示にリセットされ、選択期間１−２の選択パルス（図１０のパルスｄ７参照）で黒表示にスイッチングされる可能性がある。そのような場合でも、リセット期間Ｒｅ２のリセットパルス（図１０のパルスｄ９参照）で再度白表示にリセットされる。しかしながら、選択期間２−２の選択パルス（図１０のパルスｄ１２参照）は、選択期間１−１の選択パルス（図１０のパルスｄ７参照）より電圧の絶対値が低いので、黒表示にスイッチングされることが無い。したがって、白表示とされるべきピクセルが高い閾値（Ｖ２、Ｖ４）を持っていても、低い閾値（Ｖ２’、Ｖ４’）を持っていても、図９に示す走査電極及び信号電極への走査／信号パルスを利用すれば、そのピクセルを白表示とすることができる。
このように、２回目のリセットパルスの電圧を１回目のリセットパルスの電圧よりαだけ低くし、２回目の書き込み期間において白表示を維持するための選択パルスの電圧を１回目の選択パルスの電圧よりαだけ低くする。この結果、低い閾値を有するピクセルであっても、黒表示にスイッチングさせることなく、図１１の表示例４３に示すような良好な画像を強誘電性液晶パネル１００に表示させることが可能となった。
図１２は、強誘電性液晶パネルの走査電極及び信号電極に印加される他の走査／信号パルス例を示した図である。
図１２では、１本目及び２本目の走査電極１０４に印加する走査パルスと、全ての信号電極１０５に印加する信号パルスが記載されている。駆動電圧波形制御回路１１１は、走査駆動電圧波形発生回路１１２を制御して各走査電極１０４に図１２に示す走査電極用の走査パルスを印加し、信号駆動電圧波形発生回路１１３を制御して各信号電極１０５へ図１２に示す信号電極用の信号パルスを印加する。
図１２に示す走査／信号パルスでは、第１フレームＦ１及び第２フレームＦ２という２つのフレームを利用して強誘電性液晶パネル１００へ画像の書き込みを行う。また、第１フレームＦ１には第１リセット期間Ｒｅ１及び第１書き込み期間Ｗ１が含まれ、第２フレームＦ２は第２リセット期間Ｒｅ２及び第２書き込み期間Ｗ２が含まれる。
図１２に示す走査／信号パルス例と図９に示した走査／信号パルスとの違いは、図１２の例では、第１リセット期間Ｒｅ１及び第２リセット期間Ｒｅ２において、全ての走査電極１０４に同時にリセット用の走査パルスが印加されるのではなく、１本ずつ順番に印加される点のみである。その他は、同一であるので、説明を省略する。
図１３は、図１２に示す走査パルス及び信号パルスが印加された場合の駆動パルスを示した図である。
図１３では、１本目の走査電極上にある１番目のピクセル（１、ｍ）及び２番目のピクセル（２、ｍ）に印加される駆動パルスが示されている。図１３に示す各期間は、全て図１２に示した期間と同じである。
第１リセット期間Ｒｅ１では、順番に、強誘電性液晶１０８を白表示にスイッチングさせるための閾値（Ｖ２）よりも大きな電圧＋（ＶＣＯＭ＋ＶＳＥＧ）がリセットパルスとして印加され（図１３のパルスｅ１及びｅ２参照）、画面全体が白表示にリセットされる。
選択期間１−１では、ピクセル（１、ｍ）に強誘電性液晶１０８を黒表示にスイッチングさせるための閾値（Ｖ４）よりも絶対値として大きな電圧−（ＶＣＯＭ＋ＶＳＥＧ）が選択パルスとして印加され、ピクセル（１、ｍ）は黒表示となる（図１３のパルスｅ３参照）。なお、選択期間１−１において、非選択のピクセル（例えば、ピクセル（２、ｍ））には、±（ＶＳＥＧ）が印加され（図１３のパルスｅ４及びｅ５参照）、それまでの状態が維持される。
選択期間１−２では、ピクセル（２、ｍ）に、第１リセット期間Ｒｅ１において白表示となった状態を維持するために、±（ＶＣＯＭ−ＶＳＥＧ）の選択パルスが印加される（図１３のパルスｅ６及びｅ７参照）。
しかしながら、閾値ムラによって、低い閾値（Ｖ４’）を有するピクセルでは、図１３のパルスｅ７によって、白表示から黒表示にスイッチングしてしまう可能性がある。
第２リセット期間Ｒｅ２では、第１リセット期間Ｒｅ１の時に印加した±（ＶＣＯＭ＋ＶＳＥＧ）よりも低い電圧±（ＶＣＯＭ−α＋ＶＳＥＧ）のリセットパルスが印加されるが（図１３のパルスｅ８及びｅ９参照）、この電圧は強誘電性液晶１０８を白表示にスイッチングさせるための閾値（Ｖ２）よりも小さいため、全てのピクセルを白表示にリセットすることはできず、低い閾値（Ｖ２’）のピクセルだけが白表示にリセットされる。
選択期間２−１では、最終的に、選択期間１−１の時に印加した±（ＶＣＯＭ＋ＶＳＥＧ）より低い電圧±（ＶＣＯＭ−α＋ＶＳＥＧ）の選択パルスが印加される（図１３のパルスｅ１０参照）。
選択期間２−２では、ピクセル（２、ｍ）に、第２リセット期間Ｒｅ２において白表示となった状態を維持するために、電圧±（ＶＣＯＭ−α−ＶＳＥＧ）の選択パルスが印加される（図１３のパルスｅ１１及びｅ１２参照）。
図１２及び図１３に示した例においても、図９及び図１０に示した場合と同様に、２回目のリセットパルスの電圧を１回目のリセットパルスの電圧よりαだけ低くし、２回目の書き込み期間において白表示を維持するための選択パルスの電圧を１回目の選択パルスの電圧よりαだけ低くする。この結果、低い閾値を有するピクセルであっても、黒表示にスイッチングさせることなく、図１１の表示例４３に示すような良好な画像を強誘電性液晶パネル１００に表示させることが可能となった。
図１４は、強誘電性液晶パネルの走査電極及び信号電極に印加される更に他の走査／信号パルス例を示した図である。
図１４では、１本目及び２本目の走査電極１０４に印加する走査パルスと、全ての信号電極１０５に印加する信号パルスが記載されている。駆動電圧波形制御回路１１１は、走査駆動電圧波形発生回路１１２を制御して各走査電極１０４に図１４に示す走査電極用の走査パルスを印加し、信号駆動電圧波形発生回路１１３を制御して各信号電極１０５へ図１４に示す信号電極用の信号パルスを印加する。
図１４に示す走査／信号パルスでは、第１フレームＦ１のみを利用して強誘電性液晶パネル１００へ画像の書き込みを行う。
図１４に示す走査／信号パルス例と図１２に示した走査／信号パルスとの違いは、図１４の例では、各走査電極に対して、図１２に示した第１リセット期間Ｒｅ１のリセット用のパルス、第１書き込み期間Ｗ１の選択用のパルス、第２リセット期間Ｒｅ２のリセット用のパルス及び第２書き込み期間Ｗ２の選択用のパルスが、連続して１フレームで印加される点である。即ち、図１２の例では、複数のフレームの複数の期間に分かれて順番に印加されていた４つのパルスを、図１４の例では、一度に連続して印加されるように構成している。なお、各走査電極に対して印加される走査パルスに応じて、全ての信号電極に印加される信号パルスの順番も入れ替わっている。
図１５は、図１４に示す走査パルス及び信号パルスが印加された場合の駆動パルスを示した図である。
ピクセル（１、ｍ）に対しては最終的に黒表示となるように、最初に、第１リセットパルスとして、強誘電性液晶１０８を白表示にスイッチングさせるための閾値（Ｖ２）よりも大きな電圧±（ＶＣＯＭ＋ＶＳＥＧ）が印加され（図１５のパルスｄ１参照）、白表示にリセットされる。次に、強誘電性液晶１０８を黒表示にスイッチングさせるための閾値（Ｖ４）よりも絶対値として大きな電圧＋（ＶＣＯＭ＋ＶＳＥＧ）を有する第１選択パルスが印加され（図１５のパルスｄ２参照）、ピクセル（１、ｍ）は黒表示となる。次に、第１リセットパルスとして印加した＋（ＶＣＯＭ＋ＶＳＥＧ）よりも低い電圧＋（ＶＣＯＭ−α＋ＶＳＥＧ）が、第２リセットパルスとして印加される（図１５のパルスｄ３参照）。最後に、第１選択パルスとして印加した−（ＶＣＯＭ＋ＶＳＥＧ）より低い電圧−（ＶＣＯＭ−α＋ＶＳＥＧ）が、第２選択パルスとして印加される（図１５のパルスｄ４参照）。
なお、上記の４つの駆動パルスがピクセル（１、ｍ）に印加されている間は、非選択のピクセル（例えば、ピクセル（２、ｍ））には、±（ＶＳＥＧ）が印加され（図１５のパルスｄ５及びｄ６等参照）、それまでの状態が維持される。
ピクセル（２、ｍ）に対しては最終的に白表示となるように、最初に、第１リセットパルスとして、強誘電性液晶１０８を白表示にスイッチングさせるための閾値（Ｖ２）よりも大きな電圧＋（ＶＣＯＭ＋ＶＳＥＧ）が印加され（図１５のパルスｄ７参照）、白表示にリセットされる。次に、白表示をそのまま維持するために、強誘電性液晶１０８を黒表示にスイッチングさせるための閾値（Ｖ４）よりも小さな電圧−（ＶＣＯＭ−ＶＳＥＧ）を有する第１選択パルスが印加される（図１５のパルスｄ８参照）。次に、第１リセットパルスとして印加した＋（ＶＣＯＭ＋ＶＳＥＧ）よりも低い電圧＋（ＶＣＯＭ−α＋ＶＳＥＧ）が、第２リセットパルスとして印加される（図１５のパルスｄ９参照）。最後に、第１選択パルスとして印加した−（ＶＣＯＭ−ＶＳＥＧ）より更に低い電圧−（ＶＣＯＭ−α−ＶＳＥＧ）が、第２選択パルスとして印加される（図１５のパルスｄ１０参照）。
図１４及び図１５に示した例においても、図９及び図１０に示した場合と同様に、２回目のリセットパルスの電圧を１回目のリセットパルスの電圧よりαだけ低くし、２回目の書き込み期間において白表示を維持するための選択パルスの電圧を１回目の選択パルスの電圧よりαだけ低くすることによって、低い閾値を有するピクセルであっても、黒表示にスイッチングさせることなく、図１１の表示例４３に示すような良好な画像を強誘電性液晶パネル１００に表示させることが可能となった。
図１６は、強誘電性液晶パネルの走査電極及び信号電極に印加される更に他の走査／信号パルスの一例を示した図である。
図１６では、１本目及び２本目の走査電極１０４に印加する走査パルスと、全ての信号電極１０５に印加する信号パルスが記載されている。駆動電圧波形制御回路１１１は、走査駆動電圧波形発生回路１１２を制御して各走査電極１０４に図１６に示す走査電極用の走査パルスを印加し、信号駆動電圧波形発生回路１１３を制御して各信号電極１０５へ図１６に示す信号電極用の信号パルスを印加する。
図１６に示す駆動パルスでは、第１フレームＦ１及び第２フレームＦ２という２つのフレームを利用して強誘電性液晶パネル１００へ画像の書き込みを行う。また、第１フレームＦ１には第１リセット期間Ｒｅ１及び第１書き込み期間Ｗ１が含まれ、第２フレームＦ２は第２リセット期間Ｒｅ２及び第２書き込み期間Ｗ２が含まれる。
図１２に示した走査／信号パルスの例では、全てのパルスのパルス幅（時間）は一定であって、パルスの高さ（電圧）を変化させることによって各パルスの機能を変化させていた。しかしながら、強誘電性液晶１０８においては、印加電圧×印加時間（＝印加電圧の積分値）に応じて、液晶が極性をスイッチングさせている。そこで、図１６に示す走査／信号の例では、パルスの高さ（電圧）を一定とし、パルス幅（時間）を変化させることによって、同様の効果が得られるように制御している。
即ち、第１リセット期間Ｒｅ１では、全ての走査電極にリセット用のパルスとして、電圧±ＶＣＯＭがｔ秒間印加されるのに対して、第２リセット機関Ｒｅ２では、全ての走査電極にリセット用のパルスとして電圧±ＶＣＯＭが（ｔ−β）秒だけ印加されるように設定されている。同様に、第１書き込み期間Ｗ１では、全ての走査電極に選択用のパルスとして、電圧±ＶＣＯＭがｔ秒間印加されるのに対して、第２書き込み期間Ｗ２では、全ての走査電極に選択用のパルスとして電圧±ＶＣＯＭが（ｔ−β）秒だけ印加されることとなる。
即ち、図１２の例において第２リセット期間Ｒｅ２において印加される電圧±（ＶＣＯＭ−α）×単位時間に対応するように、図１６の例において第２リセット期間Ｒｅ２における±ＶＣＯＭ×（ｔ−β）を設定し、図１２の例における第２書き込み期間Ｗ２において印加される電圧±（ＶＣＯＭ−α）×単位時間に対応するように、図１６の例において第２書き込み期間Ｗ２における±ＶＣＯＭ×（ｔ−β）が設定されている。
図１７は、図１６に示す走査パルス及び信号パルスが印加された場合の駆動パルスを示した図である。
図１７では、１本目の走査電極上にある１番目のピクセル（１、ｍ）及び２番目のピクセル（２、ｍ）に印加される駆動電圧が示されている。図１７に示す各期間は、全て図１６に示した期間と同じになるようにしている。
第１リセット期間Ｒｅ１では、順番に、強誘電性液晶１０８を白表示にスイッチングさせるための閾値（Ｖ２）よりも大きな電圧の積分値＋（ＶＣＯＭ＋ＶＳＥＧ）×ｔがリセットパルスとして印加され（図１７のパルスｆ１及びｆ２参照）、画面全体が白表示にリセットされる。
選択期間１−１では、ピクセル（１、ｍ）に強誘電性液晶１０８を黒表示にスイッチングさせるための閾値（Ｖ４）よりも大きな電圧の積分値−（ＶＣＯＭ＋ＶＳＥＧ）×ｔが選択パルスとして印加され、ピクセル（１、ｍ）は黒表示となる（図１７のパルスｆ３参照）。なお、選択期間１−１において、非選択のピクセル（例えば、ピクセル（２、ｍ））には、電圧の積分値±（ＶＳＥＧ）×ｔが印加され（図１７のパルスｆ４及びｆ５参照）、それまでの状態が維持される。
選択期間１−２では、ピクセル（２、ｍ）に、第１リセット期間Ｒｅ１において白表示となった状態を維持するために、電圧の積分値±（ＶＣＯＭ−ＶＳＥＧ）×ｔが印加される（図１７のパルスｆ６及びｆ７参照）。しかしながら、閾値ムラによって、低い閾値（Ｖ４’）を有するピクセルでは、図１７のパルスｆ７によって、白表示から黒表示にスイッチングしてしまう可能性がある。
第２リセット期間Ｒｅ２では、第１リセット期間Ｒｅ１の時に印加した電圧の積分値＋（ＶＣＯＭ＋ＶＳＥＧ）×ｔよりも低い電圧の積分値＋（ＶＣＯＭ＋ＶＳＥＧ）×（ｔ−β）がリセットパルスとして印加されるが（図１７のパルスｆ８及びｆ９参照）、この電圧は強誘電性液晶１０８を白表示にスイッチングさせるための閾値（Ｖ２）よりも小さいため、全てのピクセルを白表示にリセットすることはできず、低い閾値（Ｖ２’）のピクセルだけが白表示にリセットされる。
選択期間２−１では、選択期間１−１の時に印加した−（ＶＣＯＭ＋ＶＳＥＧ）×ｔより低い電圧の積分値−（ＶＣＯＭ＋ＶＳＥＧ）×（ｔ−β）が選択パルスとして印加される（図１７のパルスｆ１０参照）。
選択期間２−２では、ピクセル（２、ｍ）に、第２リセット期間Ｒｅ２において白表示となった状態を維持するために、電圧の積分値±（ＶＣＯＭ−ＶＳＥＧ）×（ｔ−β）が選択パルスとして印加される（図１７のパルスｆ１１及びｆ１２参照）。
図１６及び図１７に示した例では、２回目のリセットパルスのパルス幅を１回目のリセットパルスのパルス幅よりβ分だけ短くし、２回目の書き込み期間において白表示を維持するための選択パルスのパルス幅を１回目の選択パルスのパルス幅よりβ分だけ短くする。この結果、低い閾値を有するピクセルであっても、黒表示にスイッチングさせることなく、図１１の表示例４３に示すような良好な画像を強誘電性液晶パネル１００に表示させることが可能となった。
図１６及び図１７の例は、前述した図１２及び図１３の例とは異なり、パルス高（電圧）ではなくパルス幅（時間）によって制御するように変更したものである。図９及び図１０に示した例、及び図１４及び図１５に示した例についても、パルス高（電圧）ではなくパルス幅（時間）によって制御するように変更することが可能である。
上述した４組の駆動パルスの例において、ＶＣＯＭ、ＶＳＥＧ、α及びβの値は、実験と経験則等から求めることができるが、例えば、ＶＣＯＭ＝４．８ｖ、ＶＳＥＧ＝１．２ｖ、α＝０．２ｖとすることができる。また、上述した４組の駆動パルスの例では、α又はβの値は１通りであったが、複数設定値を用意して、制御部１００が、外部からの制御信号によって、複数の設定値の内の１つの値をα又はβとして選択して利用し、強誘電性液晶１０８パネルに最適な制御を行えるように構成しても良い。
図１８は、本発明に係る他の液晶表示装置の概略ブロック図である。
図１８に示す液晶表示装置２００と図７に示す液晶表示装置１２０との差異は、液晶装置２００が温度センサ２０３を有している点、ＲＯＭ２０２が温度に応じたパルス幅データのテーブルを記録している点、制御部２０１が温度センサ２０３の検出出力に基づきテーブルを利用してパルス幅制御を行う点のみである。他の構成は、液晶表示装置１２０と同様であるので、説明を省略する。
図１９は、温度変化による閾値の変化を説明するための図である。
図１９に示すように、強誘電性液晶パネル１００の閾値は、環境温度変化に応じて変化する。具体的には、環境温度が上昇すると、光透過率の増加が飽和する電圧値Ｖ２（正の閾値）は低くなり、光透過率の減少が飽和する電圧値Ｖ４（負の閾値）も低くなる。また、環境温度が下降すると、光透過率の増加が飽和する電圧値Ｖ２（正の閾値）は高くなり、光透過率の減少が飽和する電圧値Ｖ４（負の閾値）も高くなる。
したがって、環境温度に応じて、強誘電性液晶パネル１００に印加する電圧の積分値を可変することが、より良好な画像表示を行う上で好ましい。以下、図１６及び１７に示したパルス高（電圧）及びパルス幅（時間）によって制御を行う例を用いて温度制御について説明を行う。
図１６及び図１７に示すように、第１リセット期間Ｒｅ１では±（ＶＣＯＭ＋ＶＳＥＧ）×ｔが全てのピクセルにリセットパルスとして印加され（図１７のｆ１、ｆ２参照）、選択期間１−１では、黒表示用の選択ピクセルには、±（ＶＣＯＭ＋ＶＳＥＧ）×ｔが印加され（図１７のｆ３参照）、非選択ピクセルには、±（ＶＳＥＧ）×ｔが印加され（図１７のｆ４及びｆ５参照）、選択期間１−２では、白表示用の選択ピクセルには、±（ＶＣＯＭ−ＶＳＥＧ）×ｔが印加される（図１７のｆ６及びｆ７参照）。また、第２リセット期間Ｒｅ２では±（ＶＣＯＭ＋ＶＳＥＧ）×（ｔ−β）が全てのピクセルにリセットパルスとして印加され（図１７のｆ８及びｆ９参照）、選択期間２−１では、黒表示用の選択ピクセルには、±（ＶＣＯＭ＋ＶＳＥＧ）×（ｔ−β）が印加され（図１７のｆ１０参照）、非選択ピクセルには、±（ＶＳＥＧ）×（ｔ−β）が印加され、選択期間２−２では、白表示用の選択ピクセルには、±（ＶＣＯＭ−ＶＳＥＧ）×（ｔ−β）が印加される（図１７のｆ１１及びｆ１２参照）。
ここで、パルス高はそのままで、パルス幅ｔを、温度に応じて可変すれば、前述した図１９に示すような閾値の温度変化に拘らず、より良好な画像を表示することが可能となる。具体的には、温度が上昇した場合には、パルス幅ｔを小さくし、温度が減少した場合には、パルス幅ｔを大きくするように設定する。なお、温度センサ２０３の検出出力と、パルス幅ｔとの関係は予めテーブルに設定してＲＯＭ２０２に記録することが可能である。そこで、制御部２０１は、所定のタイミング（例えば、液晶表示装置２００の電源ＯＮ時、１時間毎等）で、温度センサ２０３からの検出出力を取得し、取得された検出出力に基づき、ＲＯＭ２０２に予め記録されているテーブルを利用してパルス幅ｔを決定する。制御部２０１は決定したパルス幅ｔを用いて、図１６及び図１７に示した制御を行い、強誘電性液晶パネル１００に対する表示制御を駆動電圧波形制御回路１１１等を利用して行う。
ところで、２回目のリセットパルスのパルス幅を短くするβの値については、環境温度変化に拘らず一定としても良い。しかしながら、βの値を環境温度変化に応じて可変するようにすることがより好ましい。
強誘電性液晶パネル１００のピクセル間における閾値ムラはパネルの組立条件によって発生するものと考えられる。環境温度が上昇すると、強誘電性液晶パネル１００の強誘電性液晶１０８の粘度が低くなり、正の閾値Ｖ２は小さくなり、負の閾値Ｖ４は大きくなる。粘度が低くなると、強誘電性液晶１０８は、強誘電性液晶パネル１００の組立条件の影響を受け易くなり、強誘電性液晶パネル１００内のピクセル間における閾値ムラが大きくなる。逆に、環境温度が下降すると、強誘電性液晶パネル１００の強誘電性液晶１０８の粘度が高くなる。粘度が高くなると、強誘電性液晶１０８は、強誘電性液晶パネル１００の組立条件の影響を受け難くなり、強誘電性液晶パネル１００内のピクセル間における閾値ムラが小さくなる。
したがって、環境温度が上昇した場合には、βの値を大きくし、環境温度が下降した場合には、βの値を小さくすることが好ましい。具体的には、０℃の時のβの値は、２０℃の時のβの値に比べて数％程度小さくすれば良い。
上記の例では、図１６及び図１７に示すように、強誘電性液晶パネル１００に印加される駆動パルスのパルス幅（時間）によって制御する場合に、環境温度に従って、パルス幅を変更する例を示した。しかしながら、図９及び図１０に示すように、強誘電性液晶パネル１００に印加される駆動パルスのパルス高（電圧）のみによって制御する場合に（パルス幅一定）、環境温度に従って、パルス高（電圧）のみを変更するように制御しても良い。さらに、強誘電性液晶パネル１００に印加される駆動パルスをパルス幅（時間）及びパルス高（電圧）によって制御し、環境温度に従って、パルス幅（時間）及びパルス高（電圧）を変更するように制御しても良い。
図２０は、環境温度とパルス幅との関係を示す図である。
図２０では、強誘電性液晶パネル１００の各ピクセルに印加される駆動パルスのパルス幅ｒ（ｓｅｃ）と環境温度Ｔ（℃）の関係を示すために、−８℃から５５℃の範囲で、５℃毎に設定した値をプロットしたグラフである。
図中におけるパルス幅ｒは、強誘電性液晶パネル１００に印加される駆動パルスをパルス幅のみによって制御する場合（電圧値はＶＳＥＬ（ｖ）で一定）のパルス幅であって、図１７の第１リセット期間Ｒｅ１に全ピクセルに印加するリセットパルスに対応する。即ち、（ＶＣＯＭ＋ＶＳＥＧ）×ｔ＝ＶＳＥＬ×ｒとなるように設定されている。例えば、２５℃の場合、ＶＣＯＭ＝４．８ｖ、ＶＳＥＧ＝１．２ｖ、ｔ＝１５００μｓｅｃ、β＝５０μｓｅｃとすることが考えられる。
図２０に示すように、パルス幅ｒは、環境温度が上昇すると短くなり、環境温度が降下すると長くなるように設定されている。
このように、環境温度の変化に応じて、強誘電性液晶パネル１００に印加される駆動パルスを可変することによって、さらに良好な画像を表示させることが可能となる。
上述した駆動パルスの例では、背景が白表示になるために、低い閾値（Ｖ４’）によって黒表示にスイッチングしてしまうピクセルが問題であったので（図１１の表示例４１参照）、白表示を維持するためにより低い選択パルス（±（ＶＣＯＭ−α−ＶＳＥＧ）又は±（ＶＣＯＭ−ＶＳＥＧ）×（ｔ−β））を印加するようにした。しかしながら、背景が黒表示の場合には、逆に低い閾値（Ｖ２’）によって白表示にスイッチングしてしまうピクセルが問題となるが、その場合でも、本発明を適用することができる。
【図１】
0005430403.tif 000002
【図２】
0005430403.tif 000003
【図３】
0005430403.tif 000004
【図４】
0005430403.tif 000005
【図５】
0005430403.tif 000006
【図６】
0005430403.tif 000007
【図７】
0005430403.tif 000008
【図８】
0005430403.tif 000009
【図９】
0005430403.tif 000010
【図１０】
0005430403.tif 000011
【図１１】
0005430403.tif 000012
【図１２】
0005430403.tif 000013
【図１３】
0005430403.tif 000014
【図１４】
0005430403.tif 000015
【図１５】
0005430403.tif 000016
【図１６】
0005430403.tif 000017
【図１７】
0005430403.tif 000018
【図１８】
0005430403.tif 000019
【図１９】
0005430403.tif 000020
【図２０】
0005430403.tif 000021